(57)【要約】【課題】  短時間で確実に水切りすることができるゴミ容器を提供することにある。【解決手段】  ゴミ容器１の底部２は、内側底面２ａが凸状面をなし、その中央から外周に放射状に設けられた複数の筋状凸部５を有している。また底部２の最も低い位置で且つ筋状凸部５の間に排水孔７が設けられている。押圧体４によりゴミを底部２に向かって押圧すると、ゴミは底部２と押圧体４との間で圧縮されると共に筋状凸部５によって周方向に寄せてまとまるように誘導される。これにより、ゴミを絞ると共にゴミをまとめて排水孔７から出にくい状態にすることができ、確実かつ迅速にゴミの水分だけを排水することができる。【選択図】  図１
0003179850.tif 000002
【実用新案登録請求の範囲】
【請求項１】
流し台に設置可能なゴミ容器であって、
内側底面が中央から外周に向かって下降傾斜する凸状面をなし、強度を高めると共に上方から押圧されたゴミを周方向に寄せてまとめるために誘導する前記内側底面の中央から外周に放射状に設けられた複数の筋状凸部を有し、前記内側底面の最も低い位置で且つ前記筋状凸部の間に位置する排水孔が設けられた底部と、
該底部より径大となる上方の開口から前記底部の外周に向かって傾斜する側壁部と、
上方から前記底部に向かってゴミを押圧する押圧体と、
を備えることを特徴とするゴミ容器。
【請求項２】
前記底部は、その外側底面が前記内側底面に対応する凹状面をなし、前記筋状凸部に対応する筋状凹部を有し、前記外側底面及び筋状凹部によって前記底部下の水はけを良くする請求項１記載のゴミ容器。
【請求項３】
前記側壁部は、前記底部近傍が内外径が絞られた絞り部となっており、該絞り部の上端内側に内側段部を有し、該内側段部が前記押圧体の嵌入を阻止するストッパとして作用する請求項１記載のゴミ容器。
【請求項４】
前記絞り部には受け皿が取り付けられ、前記絞り部はその上端外側に外側段部を有し、該外側段部が前記受け皿の嵌入を阻止するストッパとして作用する請求項３記載のゴミ容器。
【考案の詳細な説明】
【技術分野】
【０００１】
本考案は、流し台等に設置するゴミ容器に関するものであり、特に、生ゴミの水切りと圧縮が可能なものに関する。
【背景技術】
【０００２】
従来、流し台に設置するゴミ容器としては、流し台の隅に置くものや、流し台の排水口に設置するものがあった。これらのゴミ容器は、その底部や側壁部に排水用の孔やスリットが設けられており、更に排水性を改善するために底部を二重構造にしてそれぞれ大きさの異なる孔を設けたものが提案されていた（特許文献１参照）。
【先行技術文献】
【特許文献】
【０００３】
【特許文献１】登録実用新案第３００６５３６号公報
【考案の概要】
【考案が解決しようとする課題】
【０００４】
生ゴミを処理場にて燃やす際に、水分が多いと多くのエネルギーが必要になり、また腐敗し易く悪臭を放つことがある。このため、できる限り生ゴミの水分を減らしてから捨てることが望ましい。上記従来のゴミ容器では、底部の孔やスリットから排水されて生ゴミの水切りを行うことができるが、生ゴミの間を通過する水が自然に落下するのを待たなければならなかったので、短時間で十分に水切りすることができず、ゴミ容器を上下に振ったり、袋に詰め替えて絞ること等が必要であった。
【０００５】
本考案が解決しようとする課題は、上記従来技術の問題点を解決し、短時間で確実に水切りすることができるゴミ容器を提供することにある。
【課題を解決するための手段】
【０００６】
本考案のゴミ容器は、流し台に設置可能なゴミ容器であって、内側底面が中央から外周に向かって下降傾斜する凸状面をなし、強度を高めると共に上方から押圧されたゴミを周方向に寄せてまとめるために誘導する前記内側底面の中央から外周に放射状に設けられた複数の筋状凸部を有し、前記内側底面の最も低い位置で且つ前記筋状凸部の間に位置する排水孔が設けられた底部と、該底部より径大となる上方の開口から前記底部の外周に向かって傾斜する側壁部と、上方から前記底部に向かってゴミを押圧する押圧体と、を備えている。
【０００７】
また、上記ゴミ容器における前記底部は、その外側底面が前記内側底面に対応する凹状面をなし、前記筋状凸部に対応する筋状凹部を有し、前記外側底面及び筋状凹部によって前記底部下の水はけを良くするものとなっている。
【０００８】
また、上記ゴミ容器における前記側壁部は、前記底部近傍が内外径が絞られた絞り部となっており、該絞り部の上端内側に内側段部を有し、該内側段部が前記押圧体の嵌入を阻止するストッパとして作用するものとなっている。
【０００９】
更に、前記絞り部には受け皿が取り付けられ、前記絞り部はその上端外に外側段部を有し、該外側段部が前記受け皿の嵌入を阻止するストッパとして作用するものとなっている。
【考案の効果】
【００１０】
本考案のゴミ容器における底部は、内側底面が中央から外周に向かって下降傾斜する凸状面をなし、その内側底面の中央から外周に放射状に複数の筋状凸部が設けられている。また、底部には、内側底面の最も低い位置で且つ筋状凸部の間に位置するように排水孔が設けられている。これにより、生ゴミの水分は、内側底面の傾斜により排水孔に向かって流れて排水される。また、押圧体により生ゴミを底部に向かって押圧すると、生ゴミは底部と押圧体との間で圧縮されると共に筋状凸部によって周方向に寄せてまとまるように誘導される。これにより、生ゴミを絞ると共に生ゴミをまとめて排水孔から出にくい状態にすることができ、確実かつ迅速に生ゴミの水分だけを排水することができる。
【００１１】
また、底部は、その外側底面が内側底面に対応する凹状面をなし、筋状凸部に対応する筋状凹部を有している。このため、底部の下に水が溜まることを防ぎ、水はけを良くすることができる。
【００１２】
また、側壁部は、底部近傍に内外径が絞られた絞り部を有しており、この絞り部の上端内側の内側段部によって、押圧体の嵌入を阻止しているので、押圧体が嵌まり込んで取れなくなることを防いでいる。
【００１３】
更に、絞り部には受け皿が取り付けられ、絞り部の上端外側の外側段部によって、受け皿の嵌入を止めているので、底部と受け皿との間に排水が溜まる適度な空間が空くように取り付け可能としている。
【図面の簡単な説明】
【００１４】
【図１】本考案の一実施例に係るゴミ容器の要部断面図である。
【図２】ゴミ容器の底部の内側底面の形状を示す平面図である。
【図３】ゴミ容器の底部の外側底面の形状を示す斜視図である。
【図４】底部の排水孔付近の部分切断斜視図である。
【図５】図４に示す排水孔付近の平面図である。
【図６】ゴミ容器に蓋体を被せた状態の要部断面図である。
【図７】ゴミ容器内の生ゴミを押圧体で圧縮した状態の要部断面図である。
【図８】図１に示すゴミ容器の押圧体の一部変更例を示す断面図である。
【図９】図８に示す押圧体を受け皿として使用したときの状態を示す断面図である。
【考案を実施するための形態】
【００１５】
図１は本考案の一実施例に係るゴミ容器の要部断面図、図２はゴミ容器の底部の内側底面の形状を示す平面図、図３はゴミ容器の底部の外側底面の形状を示す斜視図である。１はゴミ容器であり、カップ状に一体になった底部２及び側壁部３と、底部２に向かって生ゴミを押圧する押圧体４とから構成されている。本実施例におけるゴミ容器１は、ステンレス鋼等を絞り加工することにより形成されている。
【００１６】
底部２は、その内側底面２ａが中央から外周に向かって下降傾斜する凸状面となっており、外側底面２ｂが内側底面２ａに対応する凹状面になっている。また、内側底面２ａには、その中央から外周に放射状に複数の筋状凸部５が設けられている。この筋状凸部５は、山形の凸形状をなす。外側底面２ｂには、筋状凸部５に対応する筋状凹部６が設けられている。また、底部２には、筋状凸部５の間にある内側底面２ａの扇形状部分の最も低い位置に排水孔７が設けられている。
【００１７】
側壁部３は、底部２より径大となる上方の開口３ａから底部２の外周２ｃに向かって傾斜するように設けられている。また、この側壁部３は、底部２近傍が内外径が絞られた絞り部８となっている。この絞り部８の上端内側には内側段部９が形成され、上端外側には外側段部１０が形成されている。
【００１８】
押圧体４は、側壁部３の開口３ａよりも小さく且つ内側段部９が設けられている部分の内径よりもわずかに大きくなるように外径が設定されている。また、図６に示したように、本考案のゴミ容器１には側壁部３の開口３ａに被せる蓋体１５が設けられており、常時は蓋体１５を被せておくことで、容器内の生ゴミ１１が見えず、また生ゴミから発生する悪臭も防ぐことができる。また、この実施例におけるゴミ容器１には、側壁部３に孔が設けられてないので、側壁部３の開口３ａに蓋体１５を被せてしまえば、容器内の生ゴミ１１に外部から直接水がかかるようなこともなく、また外気とも触れ難いので、生ゴミ１１の腐敗や悪臭を効果的に抑えることができる。なお、この実施例では押圧体４と蓋体１５とは相似形である。
【００１９】
上記構成からなるゴミ容器１では、生ゴミ１１を入れると、側壁部３付近の生ゴミ１１から出た水分は傾斜した側壁部３の内面に沿って底部２まで落ちる。また、生ゴミ１１の間を通過する水分は、底部２の内側底面２ａに到達する。このように底部２まで達した水分は、内側底面２ａの傾斜によって内側底面２ａに沿って下方へ流れて排水孔７から排出される。このように生ゴミ１１から出て底部２に達した水分は、底部２の傾斜によって排水孔７の方向に集められて排出される。
【００２０】
また、本実施例においては、図７に示したように、蓋体１５を外してから押圧体４を側壁部３の開口３ａから内方に入れ、押圧体４を押し付けて生ゴミ１１を底部２に向かって圧縮することにより、生ゴミ１１を絞って水分を切ることができる。図４及び図５に示すように、上方から押圧された生ゴミ１１は、筋状凸部５の表面に沿って周方向に移動する。このように隣接する筋状凸部５の表面に沿って移動する生ゴミ１１は、周方向に移動することで寄せ集められる。これにより生ゴミ１１は圧縮されると共にまとまり、排水孔７から出難い状態になる。このように生ゴミ１１が圧縮されてまとめられることで、排水孔７からは殆ど生ゴミ１１から絞り出された水分１６だけが排出されることになる。
【００２１】
本実施例における底部２の筋状凸部５は、生ゴミ１１をまとめるだけでなく底部２の強度を増すために設けられたものでもある。このように底部２が補強されているため、上方から押圧体４で生ゴミ１１を押しても、底部２が変形することがなく、その内側底面２ａの凸状面を維持することができるものとなっている。
【００２２】
また、図７に示したように、押圧体４を押し込むと、押圧体４の外周部分が側壁部３の内側段部９に突き当ってそれ以上押し込めなくなる。これにより、押圧体４で必要以上に生ゴミ１１を押圧したり、押圧体４が側壁部３の内側に嵌まり込んで取れなくなることを防ぐことができる。
【００２３】
一方、排水孔７から排出された水分１６は、底部２の外側底面２ｂと流し台の表面との間の空間に流れ出る。そして、その水分１６は筋状凹部６に回り込み、その外方端６ａから流れ出る。これによって底部２の下に水が溜まることを防ぎ、スムーズに排水することを可能にしている。
【００２４】
また、底部２の下に受け皿を設置することで、底部２の排水孔７から排出された水分１６を受け皿に溜めることも可能である。その際に、図８に示したように、側壁部３の絞り部８に適合するカップ状の受け皿１２を用いると共に、その受け皿１２の上端が外側段部１０に突き当たったときに受け皿１２と底部２との間に最適な空間が空くように設定することで、受け皿１２のずれを防ぎ、受け皿１２の外に水が流れ出ることを防ぐこともできる。
【００２５】
また、図８に示した受け皿１２の外径が側壁部３の開口３ａ内に入るように設定することで、図９に示したように受け皿１２を押圧体として兼用することも可能である。この場合、押圧体を使用しないときの収納場所を確保する必要もなくなり、押圧体の紛失も防ぐことができる。
【符号の説明】
【００２６】
１    ゴミ容器
２    底部
２ａ  内側底面
２ｂ  外側底面
２ｃ  外周
３    側壁部
３ａ  開口
４    押圧体
５    筋状凸部
６    筋状凹部
６ａ  外方端
７    排水孔
８    絞り部
９    内側段部
１０  外側段部
１１  生ゴミ
１２  受け皿
１５  蓋体
１６  水分
【図１】
0003179850.tif 000003
【図２】
0003179850.tif 000004
【図３】
0003179850.tif 000005
【図４】
0003179850.tif 000006
【図５】
0003179850.tif 000007
【図６】
0003179850.tif 000008
【図７】
0003179850.tif 000009
【図８】
0003179850.tif 000010
【図９】
0003179850.tif 000011